(57)【要約】【課題】  自動原稿給送装置から連続ページスキャンを行うとスキャナの温度が急上昇しＭＴＦの変動が同じ傾向になるとは限らないため、ＭＴＦのバランスが崩れてしまうという問題があった。ＭＴＦのバランスが崩れると、同じ原稿を自動原稿給送装置から連続でスキャンしても見え方が異なってしまうという問題があった。また、大量ページのＭＴＦ補正量を算出するには多大な時間を要してしまうという問題があった。  【解決手段】  連続でスキャンするページに応じて各ページのＭＴＦ補正量を算出し、ＭＴＦ補正量に応じてＭＴＦ補正処理を行うことにより各ページのＭＴＦ特性を同等にし、連続読み取り時の濃度差や色差の発生を防止する。【選択図】  図８
2011008471.tif 000002
【特許請求の範囲】
【請求項１】
原稿を読み取り、画像データとして出力する読取手段と、
前記読取手段からそれぞれ出力される各ページの画像データに対するＭＴＦ（Ｍｏｄｕｌａｔｉｏｎ  Ｔｒａｎｓｆｅｒ  Ｆｕｎｃｔｉｏｎ）特性値を算出するＭＴＦ特性値算出手段と、
前記ＭＴＦ特性値算出手段から算出された各ページのＭＴＦ特性値のうち、基準となるＭＴＦ特性値を選択する選択手段と、
前記選択手段により選択された基準のＭＴＦ特性値と各ページのＭＴＦ特性値の差分を算出するＭＴＦ特性値差分算出手段と、
前記読取手段からそれぞれ出力される画像データに対してＭＴＦ特性の補正を行うためのＭＴＦ補正フィルタと、
前記ＭＴＦ特性値差分算出手段から各ページの画像データに対するフィルタ係数を決定する決定手段と、
ＭＴＦ補正フィルタに前記決定手段により決定されたフィルタ係数を設定するフィルタ係数設定手段と、
前記読取手段から出力される各ページの画像データに対して前記フィルタ係数設定手段によって設定されたフィルタ係数を用いてＭＴＦ特性の補正を行わせる補正制御手段と
を有することを特徴とする画像読取装置。
【請求項２】
前記ＭＴＦ特性値算出手段により第一の特定ページの画像データに対するＭＴＦ特性値を算出し、前記ＭＴＦ特性値算出手段により第二の特定ページの画像データに対するＭＴＦ特性値を算出し、前記第一及び第二の特定ページの画像データに対する算出されたＭＴＦ特性値の差分値に基づいて前記第一及び第二の特定ページ以外のＭＴＦ特性値の算出を行うか否かを制御する算出制御手段と
を有することを特徴とする請求項１記載の画像読取装置。
【発明の詳細な説明】
【技術分野】
【０００１】
本発明は、画像読取装置、ＭＴＦ補正方法、及びプログラムに関し、特に、原稿を連続で読み取り、画像データとして出力する読取手段と、該読取手段からそれぞれ出力される画像データに対してＭＴＦ特性の補正をそれぞれ行うためのＭＴＦ補正フィルタとを備えた画像読取装置、該画像読取装置に適用されるＭＴＦ補正方法、及び該ＭＴＦ補正方法をコンピュータに実行させるためのプログラムに関する。
【背景技術】
【０００２】
画像読取装置では、ＭＴＦ（Ｍｏｄｕｌａｔｉｏｎ  Ｔｒａｎｓｆｅｒ  Ｆｕｎｃｔｉｏｎ）特性で画像の見え方に違いが発生する。このＭＴＦ特性とは、光学系を通して明暗の縞模様を結像したとき、光学系の回折や収差によって明暗模様のコントラストが低下するが、その低下の度合いを言う。明暗模様の周波数（空間周波数）が高くなるにつれてコントラストは大きく低下する。
【０００３】
こうした読取特性の差のうちＭＴＦ特性に関しては、従来、読取光学系の調整や、読み取った画像データに対してＭＴＦフィルタ処理や平滑化フィルタ処理などを行う画像読取装置がある（例えば、特許文献１参照）。
【先行技術文献】
【特許文献】
【０００４】
【特許文献１】特開２００１−１５７０５２号公報（特許番号３６６０１８０号）
【発明の概要】
【発明が解決しようとする課題】
【０００５】
自動原稿給送装置から連続で原稿の読み取りを行うと画像読取装置の温度が急上昇するが、ＭＴＦの変動が同じ傾向になるとは限らないため、各ページのＭＴＦ特性が異なる。各ページのＭＴＦ特性が異なると、同じ内容が記載された原稿を自動原稿給送装置から連続で読み込んでも各ページで見え方が異なってしまうという問題がある。
【０００６】
本発明は、上記の問題点を解決するために為されたものであり、その目的とする処は、連続で読み取るページに応じて各ページのＭＴＦ補正量を算出し、ＭＴＦ補正量に応じてＭＴＦ補正処理を行うことにより各ページのＭＴＦ特性を同等にし、連続読み取り時の濃度差や色差の発生を防止することを図った画像読取装置、ＭＴＦ補正方法、及びプログラムを提供することを目的とする。
【課題を解決するための手段】
【０００７】
このため、本発明においては、下記に示す画像読取装置を提供することにより、前記目的を達成しようとするものである。
【０００８】
原稿を読み取り、画像データとして出力する読取手段と、前記読取手段からそれぞれ出力される各ページの画像データに対するＭＴＦ（Ｍｏｄｕｌａｔｉｏｎ  Ｔｒａｎｓｆｅｒ  Ｆｕｎｃｔｉｏｎ）特性値を算出するＭＴＦ特性値算出手段と、前記ＭＴＦ特性値算出手段から算出された各ページのＭＴＦ特性値のうち、基準となるＭＴＦ特性値を選択する選択手段と、前記選択手段により選択された基準のＭＴＦ特性値と各ページのＭＴＦ特性値の差分を算出するＭＴＦ特性値差分算出手段と、前記読取手段からそれぞれ出力される画像データに対してＭＴＦ特性の補正を行うためのＭＴＦ補正フィルタと、前記ＭＴＦ特性値差分算出手段から各ページの画像データに対するフィルタ係数を決定する決定手段と、ＭＴＦ補正フィルタに前記決定手段により決定されたフィルタ係数を設定するフィルタ係数設定手段と、前記読取手段から出力される各ページの画像データに対して前記フィルタ係数設定手段によって設定されたフィルタ係数を用いてＭＴＦ特性の補正を行わせる補正制御手段とを有することを特徴とする画像読取装置が提供される。
【発明の効果】
【０００９】
本発明によれば、自動原稿給送装置から連続で原稿の読み取りを行う際にＭＴＦ補正フィルタにおいて各ページに応じたフィルタ係数を設定する。そして、読取手段からそれぞれ出力された各画像データに対して、前記ＭＴＦ補正フィルタに設定されたフィルタ係数を用いてＭＴＦ特性の補正をそれぞれ行わせる。
【００１０】
これによって、原稿を連続で読み取る際に、各ページのＭＴＦ特性を同等にすることで各ページの濃度差や色差の発生を防止することができる。
【００１１】
これによって、原稿を連続で読み取る際に、各ページのＭＴＦ特性を同等にすることで各ページの濃度差や色差の発生を防止することができる。
【図面の簡単な説明】
【００１２】
【図１】本発明の第１の実施の形態に係る画像読取装置の構成を示す側面図である。
【図２】ＭＴＦ特性測定時に使用するＭＴＦ特性評価用チャートの例を示す図である。
【図３】ＭＴＦ特性測定時に使用するＭＴＦ特性評価用チャートの例を示す図である。
【図４】ＭＴＦ特性測定時に使用するＭＴＦ特性評価用チャートの例を示す図である。
【図５】ＭＴＦ特性測定の手順を示すフローチャートである。
【図６】図４に示すＭＴＦ特性評価用チャートを読み取って得られたヒストグラムを示す図である。
【図７】図１に示す画像読取装置で行なわれる画像処理を、その流れに沿って機能ブロックで示す図である。
【図８】ＭＴＦ補正フィルタのフィルタ係数を算出する算出処理の手順を示すフローチャートである。
【図９】画像読取装置のＭＴＦ特性を測定した結果を示す図である。
【図１０】ＭＴＦ補正フィルタのフィルタ係数の例を示す図である。
【図１１】ＭＴＦ補正フィルタのフィルタ係数を算出する算出処理の手順を示すフローチャートである。
【発明を実施するための形態】
【００１３】
〔第１の実施の形態〕
図１において、１００は自動原稿給送装置である。１０１は原稿トレイであり、原稿１０２を積載する。原稿トレイ１０１の上方には、給紙ローラ１０３が設けられている。給紙ローラ１０３は、分離搬送ローラ１０４と同一駆動源に接続され、分離搬送ローラ１０４の回転に連れて回転し、原稿１０２を給紙する。
【００１４】
給紙ローラ１０３は、通常、ホームポジションである上方の位置に退避しており、原稿１０２のセット作業を阻害しないようになっている。給紙動作が開始されると、給紙ローラ１０３は下降して原稿１０２の上面に当接する。給紙ローラ１０３は、図示しないアームに軸支されているので、アームが揺動することにより上下に移動する。
【００１５】
分離搬送従動ローラ１０５は、分離搬送ローラ１０４の対向側に配置されており、分離搬送ローラ１０４側に押圧されている。分離搬送従動ローラ１０５は、分離搬送ローラ１０４より僅かに摩擦が少ないゴム材等から形成されており、分離搬送ローラ１０４と協働して、給紙ローラ１０３によって給紙される原稿１０２を１枚ずつ分離して給紙する。
【００１６】
レジストローラ１０６およびレジスト従動ローラ１０７は、分離搬送ローラ１０４および分離搬送従動ローラ１０５から給紙された原稿の先端を揃えるものである。すなわち、分離搬送ローラ１０４および分離搬送従動ローラ１０５から送られた原稿の先端が、静止したレジストローラ１０６およびレジスト従動ローラ１０７のニップ部に突き当てられる。これによって、原稿にループが発生し、その先端が揃えられる。その後、レジストローラ１０６およびレジスト従動ローラ１０７が回転し、リードローラ１０８およびリード従動ローラ１０９が、原稿を流し読みガラス１１６に向けて搬送する。流し読みガラス１１６の対向側には、プラテンローラ１１０が配置されている。
【００１７】
流し読みガラス１１６上を通過する原稿の表面の画像情報は、画像読取装置１１７（表面用画像読取部）のセンサ１２６にて読み取られる。センサ１２６での原稿の表面画像読み取りが終了すると、リード排出ローラ１１１およびリード排出従動ローラ１１２が、原稿をセンサ１２８側に搬送する。１１５は、流し読みガラス１１６からシート（原稿）をすくい上げるためのジャンプ台である。センサ１２８には流し読みガラス１２９が設けられ、その対向側には、プラテンローラ１２７が配置されている。
【００１８】
流し読みガラス１２９上を通過する原稿の裏面の画像情報は、センサ１２８（裏面用画像読取部）にて読み取られる。センサ１２８での原稿の裏面画像読み取りが終了すると、排紙ローラ１１３が原稿を排紙トレイ１１４に排出する。
【００１９】
表面用画像読取部の画像読取装置１１７は、読取原稿面に対して光を照射するランプ１１９と、原稿からの反射光をレンズ１２５およびセンサ１２６に導くミラー１２０、１２１、１２２とを有する。ランプ１１９およびミラー１２０は、第１ミラー台１２３に取り付けられている。また、ミラー１２１、１２２は、第２ミラー台１２４に取り付けられている。
【００２０】
ミラー台１２３、１２４は、ワイヤ（図示せず）によって駆動モータ（図示せず）と結合され、駆動モータの回転駆動により原稿台ガラス１１８に沿って平行に移動される。原稿からの反射光は、ミラー１２０、１２１、１２２を介してレンズ１２５に導かれ、レンズ１２５によってセンサ１２６の受光部に結像される。センサ１２６は、結像した反射光を光電変換し、入射光量に応じた電気信号を出力する。
【００２１】
裏面用画像読取部のセンサ１２８も同様に、原稿からの反射光を受光素子で光電変換し、入射光量に応じた電気信号を出力する。
【００２２】
上記構成を有する画像読取装置では、原稿固定読取モードおよび流し読みモードの２つのモードで原稿を読み取ることができる。原稿固定読取モードでは、原稿１０２を原稿台ガラス１１８上に載置し、第１ミラー台１２３及び第２ミラー台１２４を副走査方向（図中右方向）に移動させながら原稿を読み取る。流し読みモードでは、第１ミラー台１２３及び第２ミラー台１２４を停止させた状態で、原稿搬送装置１００によって原稿１０２を搬送させながら、流し読みガラス１１６の位置で原稿を読み取る。流し読みモードでは、流し読みガラス１２９を介してセンサ１２８により原稿１０２の裏面の画像情報を読み取ることもできる。
【００２３】
自動原稿給送装置を使用して、連続で原稿を読み取る際に、画像読取部の温度が急上昇するため、各ページのＭＴＦ特性の差として現れる。したがって、同じ原稿を連続で読み取った場合でも、読取画像に大きな違いが見られる場合がある。
【００２４】
したがって、連続で読み取る場合の各ページのＭＴＦ特性差を低減するようにすれば、各ページ間の色差も低減することが可能となる。
【００２５】
以下、具体例を用いて、原稿各ページ間のＭＴＦ特性差の低減方法について説明する。
【００２６】
一般に、ＭＴＦ特性は、空間周波数とコントラスト（明暗比）との関係を表すものである。すなわち、ある空間周波数を持つ画像（波状縞画像）を読み取り、得られた画像データから再生された画像のコントラストを測定し、これを、対応の空間周波数と関連づける。ＭＴＦ特性が低いと画像はぼやけ、ＭＴＦ特性が高いと画像の鮮鋭度が増すことになる。
【００２７】
ＭＴＦ特性を測定する際に用いられるＭＴＦ特性評価用チャートの例を図２及び図３に示す。図２は、低い空間周波数をもつチャートの例であり、図３は、高い空間周波数をもつチャートの例である。
【００２８】
例えば、複写機等の画像読取装置の解像度が６００ｄｐｉの場合、線数６［ｌｐ／ｍｍ］のＭＴＦ特性評価用チャートを用いてＭＴＦ特性を測定する。ここで、［ｌｐ／ｍｍ］は、ＭＴＦ特性評価用チャートに１ｍｍあたり何本の黒い線があるかを示す単位であり、「ｌｐ」はｌｉｎｅ  ｐａｉｒの略である。
【００２９】
使用するＭＴＦ特性評価用チャートの線数（チャート線数）は、下記式（１）を満たすものとする。
【００３０】
【数１】
2011008471.tif 000003
【００３１】
なお、サンプリング定理より、１［ｌｐ／ｍｍ］の線が、センサ１２６の最低４画素に渡って投影される必要があるため、上記式（１）において、原理的に測定できる限界値は４＊チャート線数［ｌｐ／ｍｍ］となる。
【００３２】
つぎに、ＭＴＦ特性の測定法について説明する。
【００３３】
図４は、ＭＴＦ特性測定時に使用するＭＴＦ特性評価用チャートの例を示す図である。
【００３４】
図４において、４０１は、主走査方向のＭＴＦ特性を測定する際に使用される部分であり、４０２は、副走査方向のＭＴＦ特性を測定する際に使用される部分であり、４０３は、白黒の基準を示す部分である。部分４０３において、白基準４０３ａは、チャートの下地部分であり、黒基準４０３ｂは、チャートに記載される線を印刷している黒インクをベタ塗りしたものである。
【００３５】
図５は、ＭＴＦ特性測定の手順を示すフローチャートである。
【００３６】
まずステップＳ５０１では白基準・黒基準の検証を行う。すなわち、図４に示す部分４０３の画像を読み取り、得られた白基準及び黒基準のヒストグラムに基づいて、画像読取装置の読取設定を変更する。例えば図６（Ａ）、（Ｂ）に示すような黒基準及び白基準のヒストグラム（横軸が読取輝度、縦軸が、対応の読取輝度をもつ画素数）が得られた場合、まず、それらから読取輝度の最大値、最小値をそれぞれ抜き出す。ここで、白基準の読取輝度の最大値が２５５の場合、白基準の最大値が２５５以下となるように、画像読取装置の読取設定を変更する。また、黒基準の読取輝度の最小値が０の場合、黒基準の最小値が１以上になるように、画像読取装置の読取設定を変更する。
【００３７】
そしてステップＳ５０２で、線数６［ｌｐ／ｍｍ］のＭＴＦ特性評価用チャートを読み取る。すなわち、線数６［ｌｐ／ｍｍ］のＭＴＦ特性評価用チャートを読み取って、例えば図６（Ｃ）に示すようなヒストグラムが得られたとする。
【００３８】
つぎのステップＳ５０３で、ＭＴＦ特性値を算出する。すなわち、例えば図６（Ｃ）に示すようなヒストグラムが得られた場合、該ヒストグラムにおける最大値、最小値を抜き出す。すなわち、２つの山が現れるため、読取輝度が大きい方の山のピーク値を最大値（ｍａｘ）、小さい方の山のピーク値を最小値（ｍｉｎ）として抜き出す。
【００３９】
そして、下記式（２）に基づき、ＭＴＦ特性値の算出を行う。
【００４０】
【数２】
2011008471.tif 000004
【００４１】
ただし、上記式（２）に基づくＭＴＦ特性値の算出は、画像読取装置のガンマ値が１．０であることを条件とする。もし、画像読取装置のガンマ値が１．０以外の値である場合には、下記式（３）に基づいて一度正規化を行った上で、上記式（２）を適用する必要がある。
【００４２】
【数３】
2011008471.tif 000005
【００４３】
なお、ｇはガンマ値を表している。
【００４４】
次に、画像読取装置で行なわれる画像処理について、図７を参照して説明する。
【００４５】
図７は、図１に示す画像読取装置で行なわれる画像処理を、その流れに沿って機能ブロックで示す図である。なお、画像読取装置は、図示を省略するが、ＣＰＵ，ＲＯＭ，ＲＡＭ、入出力装置とからなる情報処理装置を備えており、該情報処理装置が制御プログラムを実行することにより、上記画像処理が行われる。
【００４６】
ブロックＢ７０１では、センサ１２６で読み取られ画像データがアナログ信号として出力される。これらのアナログ信号は、ブロックＢ７０２で、ディジタル信号にそれぞれ変換される。画像データは、ブロックＢ７０３では、ディジタル信号となった画像データに基づいて、ＭＴＦ特性補正に使用するＭＴＦ補正フィルタのフィルタ係数の算出を行う。このフィルタ係数の算出方法については、図８を参照して後述する。
【００４７】
ブロックＢ７０４では、ブロックＢ７０３で算出されたフィルタ係数を用いて、画像データに対して、ＭＴＦ特性補正をそれぞれ行う。この補正により、原稿各ページのＭＴＦ特性差が低減できるようになる。このようにして補正された画像データは、ブロックＢ７０５で、画像形成部に送られる。
【００４８】
つぎに、上記ＭＴＦ特性補正に使用するＭＴＦ補正フィルタのフィルタ係数の算出方法と該方法による補正効果について説明する。
【００４９】
図９は、自動原稿給送装置から連続で３００枚の原稿の読み取りを行った際の画像読取装置のＭＴＦ特性を測定した結果を示す図である。
【００５０】
図９に示すＭＴＦ特性値から分かるように、各ページにおいてＭＴＦ特性差が発生している。
【００５１】
図８は、ＭＴＦ補正フィルタのフィルタ係数を算出する算出処理の手順を示すフローチャートである。なお、この処理は、図７に示すブロックＢ７０４で行われる処理に相当する。
【００５２】
ステップＳ８０１では、自動原稿給送装置の最大積載量枚数分のＭＴＦ特性評価用チャートを読み込ませる。
【００５３】
ステップＳ８０２では、基準となるＭＴＦ特性値を選択する。
【００５４】
なお、ここでは基準ＭＴＦ特性値として、１ページ目のＭＴＦ特性値を選択したが、この基準ＭＴＦ特性値には任意の値を指定するようにしてもよい。
【００５５】
ステップＳ８０３では、下記式（４）に基づいて、全ページのＭＴＦ補正率を算出する。
【００５６】
【数４】
2011008471.tif 000006
【００５７】
ステップＳ８０４では、算出された各ページのＭＴＦ補正率を実現するために各ページのＭＴＦ補正フィルタのフィルタ係数（補正係数）を算出する。
【００５８】
その後の読み込みジョブにおいて自動原稿給送装置から原稿を読み込む際は、ステップＳ８０４で算出された各ページに対応するフィルタ係数を各ページに使用してＭＴＦ補正を行う。
【００５９】
図１０は、ＭＴＦ補正フィルタのフィルタ係数の例を示す図である。
【００６０】
なお、ＭＴＦ補正フィルタにはスムージングフィルタ（ＬＰＦ：ローパスフィルタ）、あるいはエッジ強調フィルタ（ＨＰＦ：ハイパスフィルタ）が一般的に用いられる。
【００６１】
このように、各ページ間のＭＴＦ特性差を低減することにより、原稿の各ページ間でもその差を低減できる。
【００６２】
〔第２の実施の形態〕
次に、本発明の第２の実施の形態を説明する。
【００６３】
第２の実施の形態の構成は、基本的に第１の実施の形態の構成と同じであるので、第２の実施の形態の説明においては、第１の実施の形態の構成と同一部分には同一の参照符号を付して、第１の実施の形態の説明を流用し、異なる部分だけを説明する。
【００６４】
第２の実施の形態では、第１の実施の形態におけるＭＴＦ特性補正をリアルタイムで行う場合に処理装置に生じる負荷を低減するようにしている。
【００６５】
処理装置を低減させるＭＴＦ補正フィルタのフィルタ係数の算出方法と該方法について説明する。
【００６６】
図１１は、ＭＴＦ補正フィルタのフィルタ係数を算出する算出処理の手順を示すフローチャートである。なお、この処理は、図７に示すブロックＢ７０４で行われる処理に相当する。
【００６７】
ステップＳ１１０１では、自動原稿給送装置の最大積載量枚数分のＭＴＦ特性評価用チャートを読み込ませ、画像を保存する。
【００６８】
ステップＳ１１０２において、自動原稿給送装置の最大積載量枚数分の読み込みが終了すると、まず１ページ目と最終ページ目の画像からＭＴＦ特性値を取得する。
【００６９】
ステップＳ１１０３では、基準となるＭＴＦ特性値を選択する。
【００７０】
なお、ここでは基準ＭＴＦ特性値として、１ページ目の値を選択したが、この基準ＭＴＦ特性値には任意の値を指定するようにしてもよい。
【００７１】
ステップＳ１１０４では、最終ページ目のＭＴＦ特性値と基準のＭＴＦ特性値の差分が一定量αであるかを取得する。
【００７２】
ステップＳ１１０５では、最終ページ目のＭＴＦ特性値と基準のＭＴＦ特性値の差分が一定量α以下であれば、他ページのＭＴＦ特性値の取得は行わず、最終ページ目のＭＴＦ補正率を算出する。
【００７３】
ステップＳ１１０６では、算出されたＭＴＦ補正率を実現するためにＭＴＦ補正フィルタのフィルタ係数（補正係数）を算出する。
【００７４】
その後の読み込みジョブにおいて自動原稿給送装置から原稿を読み込む際は、ステップＳ１１０６で算出されたフィルタ係数を全ページに使用してＭＴＦ補正を行う。
【００７５】
ステップＳ１１０７では、最終ページ目のＭＴＦ特性値と基準のＭＴＦ特性値の差分が一定量α以上であれば、最終ページ目のＭＴＦ特性値と基準のＭＴＦ特性値の差分が一定量β以下であるか判定する。βはαより大きい値とする。
【００７６】
ステップＳ１１０８では、最終ページ目のＭＴＦ特性値と基準のＭＴＦ特性値の差分が一定量β以下であれば複数ページおきにＭＴＦ特性値の取得を行い、ＭＴＦ補正率を算出する。
【００７７】
ステップＳ１１０９では、複数ページおきに算出されたＭＴＦ補正率を実現するために複数ページおきに算出されたＭＴＦ補正率に対応するＭＴＦ補正フィルタのフィルタ係数を算出する。
【００７８】
その後の読み込みジョブにおいて自動原稿給送装置から原稿を読み込む際は、ステップＳ１１０９で算出されたフィルタ係数を複数ページ単位で同じフィルタ係数を使用してＭＴＦ補正を行う。
【００７９】
ステップＳ１１１０では、最終ページ目のＭＴＦ特性値と基準のＭＴＦ特性値の差分が一定量β以上であれば全ページのＭＴＦ特性値の取得を行い、ＭＴＦ補正率を算出する。
【００８０】
ステップＳ１１１１では、算出されたＭＴＦ補正率を実現するためにＭＴＦ補正フィルタのフィルタ係数を全ページでそれぞれ算出する。
【００８１】
その後の読み込みジョブにおいて自動原稿給送装置から原稿を読み込む際は、ステップＳ１１１１で算出された各ページに対応するフィルタ係数を各ページに使用してＭＴＦ補正を行う。
【００８２】
このように、各ページ間のＭＴＦ特性差を低減することにより、原稿の各ページ間でもその差を低減できる。
【図１】
2011008471.tif 000007
【図２】
2011008471.tif 000008
【図３】
2011008471.tif 000009
【図４】
2011008471.tif 000010
【図５】
2011008471.tif 000011
【図６】
2011008471.tif 000012
【図７】
2011008471.tif 000013
【図８】
2011008471.tif 000014
【図９】
2011008471.tif 000015
【図１０】
2011008471.tif 000016
【図１１】
2011008471.tif 000017